(57)【特許請求の範囲】
【請求項１】
監視対象に取り付けられ、監視対象における状態値を計測する複数の計測手段と、
複数の計測手段の少なくとも１つに対応し、対応する計測手段が計測した状態値を送信するとともに、この状態値をもとに、対応する計測手段の監視対象に障害が発生したか否かを判断し、障害が発生したと判断した場合に監視対象における障害の発生を通知するための障害発生通知データを送信する処理を夫々行う複数のデータ収集手段と、
前記複数のデータ収集手段の少なくとも１つから送信された状態値及び障害発生通知データを受信し、これらの状態値及び障害発生通知データに基づくログデータを記録する記録手段と、
前記記録手段にデータ要求を送信し、このデータ要求に応じて前記記録手段から送信されてくるログデータを受信して表示し、このログデータに基づく監視対象における障害の発生をユーザに報知する報知手段とを備え、
前記各データ収集手段は、監視対象における障害の発生を通知する際に、他のデータ収集手段と自身とを識別するための識別情報を含む障害発生通知データを、前記記録手段と前記報知手段との双方に送信し、
前記報知手段は、前記データ収集手段から前記障害発生通知データを受信した場合に、この前記障害発生通知データに基づく監視対象における障害の発生をユーザに報知する状態監視システム。
【請求項２】
前記報知手段は、ユーザに対して、監視対象における障害の発生を報知するための電子メールを送信する請求項１に記載の状態監視システム。
【請求項３】
監視対象に取り付けられ、監視対象における状態値を計測する計測手段と、
前記計測手段が計測した状態値を送信するとともに、この状態値をもとに、監視対象に障害が発生したか否かを判断し、障害が発生したと判断した場合に監視対象における障害の発生を通知するための障害発生通知データを送信するデータ収集手段と、
前記データ収集手段から送信された状態値及び障害発生通知データを受信し、これらの状態値及び障害発生通知データに基づくログデータを記録する記録手段と、
データ要求をネットワークを介して受信した場合に、このデータ要求に応じたログデータを前記記録手段から取得して前記データ要求の送信元へ送信する中継手段と、
前記データ要求を前記中継手段へ前記ネットワークを介して送信し、前記データ要求に応じたログデータを受信して報知する報知手段とを備え、
前記データ収集手段は、監視対象における障害の発生を通知する際に、前記障害発生通知データを前記記録手段と前記報知手段との双方に送信し、
前記報知手段は、前記データ収集手段から前記障害発生通知データを受信した場合に、この前記障害発生通知データに基づく監視対象における障害の発生をユーザに報知する状態監視システム。
【請求項４】
前記報知手段は、ユーザに対して、監視対象における障害の発生を報知するための電子メールを送信する請求項３に記載の状態監視システム。
【請求項５】
複数の前記データ収集手段及び前記計測手段を備え、前記データ収集手段は、監視対象における障害の発生を通知する際に、他のデータ収集手段と自身とを識別するための識別情報をさらに通知する請求項３に記載の状態監視システム。
【発明の詳細な説明】
【０００１】
【発明の属する技術分野】
本発明は、ネットワークや機器等の状態や障害の発生を、ネットワークを介して監視し、障害が発生した場合に障害の発生を管理者に報知するシステムに関する。
【０００２】
【従来の技術】
従来、監視対象となる装置やネットワーク等に対して計測器を取り付け、計測器から出力される計測値を収集することで、監視対象の状態を監視し障害の発生を検知する状態監視システムがある。図１は、従来技術における状態監視システムの例（状態監視システムＰＡ１）を示す図である。図１を用いて、状態監視システムＰＡ１について説明する。
【０００３】
状態監視システムＰＡ１は、ＬＡＮ（Local Area Network）ＰＡ２に配置（接続）されたデータ収集局ＰＡ４，監視局ＰＡ５，ＤＢサーバ（データベースサーバ）ＰＡ６と、データ収集局ＰＡ４に接続された計測器ＰＡ３とを備える。
【０００４】
計測器ＰＡ３は、自身が取り付けられた装置（機器）やネットワーク等（監視対象）について、計測対象となるデータ（例：温度，電流値，圧力）を計測し、計測値をデータ収集局ＰＡ４へ送信する。データ収集局ＰＡ４は、計測器ＰＡ３から受信する計測値をＤＢサーバＰＡ６へ送信する。また、データ収集局ＰＡ４は、計測値を元に、監視対象に発生する障害を検知する。データ収集局ＰＡ４は、障害の発生を検知すると、障害の発生を通知するための障害発生通知データをＤＢサーバＰＡ６に送信する。
【０００５】
監視局ＰＡ５は、定期的（例：毎分，１０秒毎）にＤＢサーバＰＡ６へ対し障害の発生の有無を確認する。そして、監視局ＰＡ５は、ＤＢサーバＰＡ６から障害の発生を通知されると、システム管理者ＰＡ７へ対して警報を発する。警報の例として、監視局ＰＡ５が備えるスピーカーから発する警報音や、監視局ＰＡ５が備えるディスプレイに表示する警報画面がある。ＤＢサーバＰＡ６は、データ収集局ＰＡ４から受信する計測値を記録する。また、ＤＢサーバＰＡ６は、データ収集局ＰＡ４から障害発生通知データを受信すると、障害の発生を記録する。
【０００６】
図２は、状態監視システムＰＡ１の動作を示すフローチャートである。図２を用いて、状態監視システムＰＡ１の動作例について説明する。データ収集局ＰＡ４は、計測器ＰＡ３から計測値を受信すると（ＰＡＳ１）、受信した計測値をＤＢサーバＰＡ６へ送信する（ＰＡＳ２）。ＤＢサーバＰＡ６は、計測値を受信すると（ＰＡＳ５）、受信した計測値を記録する（ＰＡＳ６）。
【０００７】
データ収集局ＰＡ４は、計測値をＤＢサーバＰＡ６へ送信した後、受信した計測値を基に、監視対象に障害が発生しているか否かを判断し、障害の発生を検知する。障害の発生が無い場合（ＰＡＳ３−Ｎ）、データ収集局ＰＡ４は再び計測値を受信するまで待機する。一方、データ収集局ＰＡ４は、障害の発生を検知した場合（ＰＡＳ３−Ｙ）、障害発生通知データをＤＢサーバＰＡ６へ送信する（ＰＡＳ４）。ＤＢサーバＰＡ６は、障害発生通知データを受信すると（ＰＡＳ７）、障害の発生を記録する（ＰＡＳ８）。
【０００８】
監視局ＰＡ５は、一定時間毎に（ＰＡＳ１１）、ＤＢサーバＰＡ６へ対して障害の発生を確認する（ＰＡＳ１２）。ＤＢサーバＰＡ６は、監視局ＰＡ５から障害の発生の確認を依頼されると、障害発生記録（障害の発生の記録）の有無を確認する（ＰＡＳ９）。このとき、ＤＢサーバＰＡ６は、前回の監視局ＰＡ５からの確認がなされた後に記録された障害の有無を確認する。そして、ＤＢサーバＰＡ６は、監視局ＰＡ５へ、障害の有無を通知する（ＰＡＳ１０）。
【０００９】
監視局ＰＡ５は、障害が無かったことを通知されると（ＰＡＳ１３−Ｎ）、再び一定時間が経過するまで待機する。一方、監視局ＰＡ５は、障害が有ったことを通知されると（ＰＡＳ１３−Ｙ）、システム管理者ＰＡ７に対して警報を発し、障害の発生を通知する（ＰＡＳ１４）。
【００１０】
【発明が解決しようとする課題】
しかしながら、上記した方法では、ＤＢサーバＰＡ６が故障すると、監視局ＰＡ５が機能を果たさなくなり、監視対象に発生した障害をシステム管理者ＰＡ７が認識できない可能性があった。即ち、ＤＢサーバＰＡ６が故障すると、監視局ＰＡ５はＤＢサーバＰＡ６に対して障害発生記録の有無を確認することが不可能となる。従って、監視局ＰＡ５はデータ収集局ＰＡ４が検知した障害の発生を認識することができず、システム管理者ＰＡ７へ障害の発生を通知することができない。
【００１１】
このように、従来の技術では、ＤＢサーバＰＡ６が故障した場合、システム管理者ＰＡ７は、監視局ＰＡ５を介して障害の発生を認識することができないため、障害に対する対処を講じることが遅れてしまうことがあった。本発明は、このような問題を解決し、ＬＡＮやサーバに障害が発生した場合にも、システム管理者が、監視対象に発生する障害を認識することが可能となる状態監視システムを提供することを目的とする。
【００１２】
【課題を解決するための手段】
上記問題を解決するため、本発明は以下のような構成をとる。本発明の第一の態様は、状態監視システムであって、監視対象に取り付けられ、監視対象における状態値を計測する複数の計測手段と、
複数の計測手段の少なくとも１つに対応し、対応する計測手段が計測した状態値を送信するとともに、この状態値をもとに、対応する計測手段の監視対象に障害が発生したか否かを判断し、障害が発生したと判断した場合に監視対象における障害の発生を通知するための障害発生通知データを送信する処理を夫々行う複数のデータ収集手段と、
前記複数のデータ収集手段の少なくとも１つから送信された状態値及び障害発生通知データを受信し、これらの状態値及び障害発生通知データに基づくログデータを記録する記録手段と、
前記記録手段にデータ要求を送信し、このデータ要求に応じて前記記録手段から送信されてくるログデータを受信して表示し、このログデータに基づく監視対象における障害の発生をユーザに報知する報知手段とを備え、
前記各データ収集手段は、監視対象における障害の発生を通知する際に、他のデータ収集手段と自身とを識別するための識別情報を含む障害発生通知データを、前記記録手段と前記報知手段との双方に送信し、
前記報知手段は、前記データ収集手段から前記障害発生通知データを受信した場合に、この前記障害発生通知データに基づく監視対象における障害の発生をユーザに報知する。
【００１３】
本発明の第一の態様によれば、計測手段は監視対象における状態値を計測し、データ収集手段へ計測した状態値を送信する。データ収集手段は、受信した状態値をもとに、監視対象に障害が発生したか否かを判断する。データ収集手段は、監視対象に障害が発生したと判断した場合、障害が発生したことを記録手段と報知手段とに通知する。この通知をうけた報知手段は、ユーザ（例えばシステムの管理者）に対して、障害が発生したことを報知する。
【００１４】
このように、本発明の第一の態様では、データ収集手段は、障害が発生した場合、記録手段を介さずに直接報知手段へ障害の発生を通知する。このため、記録手段が故障してしまった場合でも、報知手段へ障害の発生が通知される。従って、記録手段が故障してしまった場合でも、ユーザは報知手段を介して障害の発生を知ることが可能となる。
【００１５】
また、本発明の第一の態様における前記報知手段は、ユーザに対して、障害の発生を報知するための電子メールを送信するように構成されても良い。
【００１６】
また、本発明の第一の態様は、複数の前記データ収集手段及び前記計測手段を備え、前記データ収集手段は、障害の発生を通知する際に、他のデータ収集手段と自身とを識別するための識別情報をさらに通知するように構成されても良い。
【００１７】
本発明の第二の態様は、状態監視システムであって、監視対象に取り付けられ、監視対象における状態値を計測する計測手段と、
前記計測手段が計測した状態値を送信するとともに、この状態値をもとに、監視対象に障害が発生したか否かを判断し、障害が発生したと判断した場合に監視対象における障害の発生を通知するための障害発生通知データを送信するデータ収集手段と、
前記データ収集手段から送信された状態値及び障害発生通知データを受信し、これらの状態値及び障害発生通知データに基づくログデータを記録する記録手段と、
データ要求をネットワークを介して受信した場合に、このデータ要求に応じたログデータを前記記録手段から取得して前記データ要求の送信元へ送信する中継手段と、
前記データ要求を前記中継手段へ前記ネットワークを介して送信し、前記データ要求に応じたログデータを受信して報知する報知手段とを備え、
前記データ収集手段は、監視対象における障害の発生を通知する際に、前記障害発生通知データを前記記録手段と前記報知手段との双方に送信し、
前記報知手段は、前記データ収集手段から前記障害発生通知データを受信した場合に、この前記障害発生通知データに基づく監視対象における障害の発生をユーザに報知する。
【００１８】
また、本発明の第二の態様における前記報知手段は、ユーザに対して、障害の発生を報知するための電子メールを送信するように構成されても良い。
【００１９】
また、本発明の第二の態様は、複数の前記データ収集手段及び前記計測手段を備え、前記データ収集手段は、障害の発生を通知する際に、他のデータ収集手段と自身とを識別するための識別情報をさらに通知するように構成されても良い。
【００２０】
【発明の実施の形態】
〔システム構成〕
次に、図を用いて本発明の実施形態における状態監視システムについて説明する。なお、本実施形態の説明は例示であり、本発明の構成は以下の説明に限定されない。図３は、本発明の状態監視システム１のブロック図である。図３を用いて本発明の状態監視システム１のシステム構成を説明する。
【００２１】
状態監視システム１は、同様の構成を持つ複数のＬＡＮ（Local Area Network）２と、ＬＡＮ３と、これらのＬＡＮ２，３に設置されるルータ１０，１１を介してＬＡＮ２とＬＡＮ３とを通信可能に接続するＷＡＮ（Wide Area Network）４と、からなる。このとき、ＬＡＮ２同士は、ＷＡＮ４を介して必ずしも通信可能に接続される必要は無い。ただし、各ＬＡＮ２とＬＡＮ３とはＷＡＮ４を介して通信可能に接続される。
【００２２】
ＬＡＮ２，３は、ＣＳＭＡ／ＣＤ（Carrier Sense Multiple Access with Collision Detection）やＦＤＤＩ（Fiber Distributed Data Interface）等、どのような形態で構成されても良い。また、ＷＡＮ４は、専用線やフレームリレー等、どのような形態で構成されても良い。
【００２３】
ＬＡＮ２は、大きく分けて、ＦＷ（Fire Wall：ファイアウォール）サーバ９に接続されたＤＭＺ（DeMilitarized Zone：非武装地帯）１５と内部ネットワーク１６とから構成される。ＤＭＺ１５には、ＷＥＢサーバ８が配置される。ＤＭＺ１５には、ＷＥＢサーバ８の他にも、メールサーバやＤＮＳ（Domain Name System）サーバ等のように、外部（ＷＡＮ４やインターネット等）からのアクセスに対応する必要のある装置が配置されても良い。
【００２４】
一方、内部ネットワーク１６には、複数のデータ収集局５，ＤＢ（DataBase：データベース）サーバ６，監視局７，及び夫々のデータ収集局５に接続される複数の計測器１７が配置される。内部ネットワーク１６には、この他にも、ユーザが使用する端末装置（クライアントマシン）やファイルサーバ等のように、外部からのアクセスに対応する必要のない装置が配置されても良い。
【００２５】
ＬＡＮ３には、ルータ１１と監視局１２とが配置される。ＬＡＮ３は、必要に応じて、ＤＭＺや内部ネットワーク等を用いて構成されても良い。
【００２６】
〔構成要素〕
次に、状態監視システム１の各構成要素について説明する。ただし、特に記載が無い限り、データの送受信は同一のＬＡＮ２内で行われるものとする。例えば、データ収集局５がＤＢサーバ６へデータを送信するという記載は即ち、データ収集局５が同一のＬＡＮ２に配置されるＤＢサーバ６へデータを送信するということを意味する。
【００２７】
計測器１７は、自身が取り付けられた装置やネットワーク等（監視対象）について、計測対象となるデータ（例：温度，電流値，圧力）を計測する。そして、計測したデータ（計測値）を、自身が直接接続されたデータ収集局５へ送信する。監視対象としては、空調設備群，電気設備群，ガス設備群，薬品設備群等があり、計測器１７は、夫々の監視対象について、気温や湿度，電流値や電圧値，ガスの漏れ量や気圧，空気中の薬品濃度等を計測する。また、計測器１７は、定期的（１０秒毎，毎分など）に計測値をデータ収集局５へ送信する。
【００２８】
データ収集局５は、パーソナルコンピュータ（ＰＣ）やワークステーション（ＷＳ）等の情報処理装置を用いて構成される。データ収集局５は、計測器１７から受信する計測値をＤＢサーバ６へ、自身に割り当てられたＩＤとともに送信する。また、データ収集局５は、受信した計測値を元に、監視対象に障害が発生しているか否かを判断し、監視対象における障害発生を検知する。データ収集局５は、監視対象における障害発生を検知すると、障害発生を通知するための障害発生通知データを、自身に割り当てられたＩＤとともに、いつの計測値についての障害発生通知データであるかを判別可能に送信する。即ち、データ収集局５は、例えば障害の発生を検知した際に用いた計測値の計測時刻を、障害発生通知データとともに送信する。データ収集局５は、障害発生通知データを、ＤＢサーバ６，監視局７，及び監視局１２へ送信する。また、データ収集局５は、計測値を、ＤＢサーバ６のみではなく、監視局７，及び監視局１２へ送信するように構成されても良い。
【００２９】
ＤＢサーバ６は、ＰＣやＷＳ等の情報処理装置を用いて構成される。ＤＢサーバ６は、データ収集局５から、計測値を受信する。ＤＢサーバ６は、データ収集局５から受信する計測値を、データ収集局５毎に区別して、自身が記憶する計測値テーブル６Ａに記録する。
【００３０】
図４は、計測値テーブル６Ａの例を示す図である。図４を用いて計測値テーブル６Ａについて説明する。計測値テーブル６Ａは、日付毎に用意される。図４には、例として２００２年３月１２日のテーブルが示されている。計測値テーブル６Ａには、ＤＢサーバ６がデータ収集局５から計測値を受信する時間毎（本実施形態では１０秒毎）に、受信した計測値が、対応するデータ収集局５毎に記録される。計測値テーブル６Ａにおいて、各データ収集局５は、夫々に割り当てられたＩＤによって識別される。また、計測値テーブル６Ａには、ＤＢサーバ６がデータ収集局５から計測値を受信する時間毎に、ＤＢサーバ６が障害発生通知データを受信したか否かが、対応するデータ収集局５毎に記録される。例えば、２００２年３月１２日０時０分２０秒に、ＩＤがＡであるデータ収集局５からＤＢサーバ６が受信した計測値は”１．８”であり、ＤＢサーバ６は障害発生通知データを受信していたことがわかる。
【００３１】
ＤＢサーバ６の説明に戻る。ＤＢサーバ６は、ＷＥＢサーバ８又は監視局７からデータの要求を受け取ると、計測値テーブル６Ａから要求されたデータを読み出し、読み出したデータを要求元へ送信する。
【００３２】
監視局７は、ＰＣやＷＳ等の情報処理装置を用いて構成される。監視局７は、モニタ（ＣＲＴディスプレイ，液晶ディスプレイ等），スピーカー，入力装置（キーボード，ポインティングデバイス）等を備える。監視局７は、システム管理者１３によって操作され、ＤＢサーバ６に記録される計測値や障害発生通知等のデータ（ログデータ）を表示する。また、監視局７は、データ収集局５から障害発生通知データを受信すると、スピーカーやディスプレイを通じて警報を発し、障害が発生したことをシステム管理者１３に報知する。このとき、監視局７は、障害発生をシステム管理者１３に報知するための音をスピーカーから鳴らす。また、監視局７は、障害発生をシステム管理者１３に報知するための画面をモニタに表示する。さらに、このとき、監視局７は、障害発生を報知するための電子メールをシステム管理者１３宛に送信する。この送信先は、システム管理者１３が携帯する携帯端末宛であることが望ましい。なぜならば、システム管理者１３が、外出先や自宅においても、監視対象に発生した障害を知ることが可能となるためである。
【００３３】
ＷＥＢサーバ８は、ＰＣやＷＳ等の情報処理装置を用いて構成される。ＷＥＢサーバ８では、ｈｔｔｐｄ（Hyper-Text Transfer Protocol Daemon）が動作し、クライアントマシン（例えば監視局１２）で動作するブラウザから送信される要求に対応する。また、ＷＥＢサーバ８は、監視局１２から、ＷＡＮ４を経由して、ＤＢサーバ６に記録される計測値や障害発生通知等のデータの要求を受ける。ＷＥＢサーバ８は、この要求を受けると、ＤＢサーバ６に対し、監視局１２から受けた要求と同じ要求をＤＢサーバ６へ行う。そして、ＷＥＢサーバ８は、この要求に応じてＤＢサーバ６から受信したデータを、要求元（監視局１２）へ送信する。
【００３４】
ＦＷサーバ９は、ＰＣやＷＳや、ファイアウォール機能を搭載したルータ等の情報処理装置を用いて構成される。ＦＷサーバ９は、ＷＡＮ４からルータ１０を介して入力されるパケットのヘッダ情報を参照し、ヘッダ情報に応じて内部ネットワーク１６やＤＭＺ１５へパケットを送る。また、ＦＷサーバ９は、入力されたパケットのヘッダ情報に応じて、ＤＭＺ１５及び内部ネットワーク１６のいずれにもパケットを送らず、パケットを破棄することもある。また、ＦＷサーバ９は、ＤＭＺ１５から入力されるパケットのヘッダ情報を参照し、ヘッダ情報に応じて内部ネットワーク１６やＷＡＮ４へパケットを送る又は破棄する。
【００３５】
ただし、ＦＷサーバ９は、ＷＥＢサーバ８からＤＢサーバ６へ送信されるパケット、及びＷＥＢサーバ８からＷＡＮ４へ送信される（監視局１２へ送信される）パケットは、破棄しない。また、内部ネットワーク１６から送信されるパケットは破棄しない。
【００３６】
ルータ１０（１１）は、ＷＡＮ４から受信するパケットを、ＬＡＮ２（ＬＡＮ３）内へ中継する。また、ルータ１０（１１）は、ＬＡＮ２（ＬＡＮ３）から受信するパケットを、ＷＡＮ４へ中継する。
【００３７】
ルータ１０は、自身が記憶するアドレス変換表１０Ａに従って、データ収集局５からＷＡＮ４へ送信されるパケットのヘッダにある送信元アドレスを変換する。図５は、アドレス変換表１０Ａの例を示す図である。図５を用いて、アドレス変換表１０Ａを説明する。アドレス変換表１０Ａは、各データ収集局５に割り当てられたＩＤ及びプライベートアドレス（ＬＡＮ用アドレス）と、グローバルアドレス（ＷＡＮ用アドレス）とを対応付けて記憶する。例えば、ＩＤがＡであるデータ収集局５のプライベートアドレスは１９２．１６８．１０．１であり、グローバルアドレスは１０．１２３．５６．１である。
【００３８】
監視局１２は、ＰＣやＷＳ等の情報処理装置を用いて構成される。監視局１２は、モニタ（ＣＲＴディスプレイ，液晶ディスプレイ等），スピーカー，入力装置（キーボード，ポインティングデバイス）等を備える。監視局１２は、システム管理者１４によって操作され、全てのＬＡＮ２に配置されたＤＢサーバ６に記録される計測値や障害発生通知等のデータ（ログデータ）を、システム管理者１４の要求に従って表示する。このとき、監視局１２は、ログデータの要求先となるＤＢサーバ６が配置されたＬＡＮ２のＷＥＢサーバ８に対して、ＤＢサーバ６に記録される計測値や障害発生通知等のデータを要求する。そして、監視局１２は、ＷＥＢサーバ８を介して、ＤＢサーバ６に記録される計測値や障害発生通知等のデータを受信する。
【００３９】
また、監視局１２は、全てのＬＡＮ２に配置されたデータ収集局５から障害発生通知データを受信する。監視局１２は、障害発生通知データを受信すると、スピーカーやディスプレイを通じて警報を発し、障害が発生したことをシステム管理者１４に報知する。このとき、監視局７は、障害発生をシステム管理者１３に報知するための音をスピーカーから鳴らす。また、監視局７は、障害発生をシステム管理者１３に報知するための画面をモニタに表示する。さらに、このとき、監視局１２は、障害発生を報知するための電子メールを、障害発生通知データを送信してきたデータ収集局５が配置されたＬＡＮ２のシステム管理者１３及びシステム管理者１４宛に送信する。この送信先は、システム管理者１３，１４が携帯する携帯端末宛であることが望ましい。なぜならば、システム管理者１３，１４が、外出先や自宅においても、監視対象に発生した障害を知ることが可能となるためである。
【００４０】
〔動作例〕
図６は、状態監視システム１の動作例を示すフローチャートである。図６を用いて、状態監視システム１の動作について説明する。データ収集局５は、計測器１７から計測値を受信すると（Ｓ１）、受信した計測値をＤＢサーバ６へ送信する（Ｓ２）。ＤＢサーバ６は、計測値を受信すると（Ｓ５）、受信した計測値を計測値テーブル６Ａに記録する（Ｓ６）。
【００４１】
データ収集局５は、計測値をＤＢサーバ６へ送信した後、受信した計測値を基に、監視対象に障害が発生しているか否かを判断し、障害の発生を検知する。障害の発生が無い場合（Ｓ３−Ｎ）、データ収集局５は再び計測値を受信するまで待機する。一方、データ収集局５は、障害の発生を検知した場合（Ｓ３−Ｙ）、障害発生通知データをＤＢサーバ６及び監視局７，１２へ送信する（Ｓ４）。ＤＢサーバ６は、障害発生通知データを受信すると（Ｓ７）、計測値テーブル６Ａの該当する時刻の欄に障害の発生を記録する（Ｓ８）。監視局７（１２）は、データ収集局５から障害発生通知データを受信すると（Ｓ９）、システム管理者１３（１４）に対して警報を発し、障害の発生を通知する（Ｓ１０）。そして、監視局７（１２）は、システム管理者１３（１３，１４）に対して、障害の発生を通知するための電子メールを送信する（Ｓ１１）。
【００４２】
〔作用〕
従来は、監視局１２は、定期的にＷＥＢサーバ８に対して、ＤＢサーバ６に新たな警報の発生が記録されていないかを問い合わせていた。そして、ＷＥＢサーバ８は、この問い合わせ（要求）を受けると、ＤＢサーバ６に対して、新たな警報の発生が記録されていないかを問い合わせ、その回答を監視局１２へ送信していた。このため、従来の技術では、ＷＥＢサーバ８が故障してしまうと、監視局１２はＤＢサーバ６に記録される障害の発生を知ることができなかった。
【００４３】
一方、本実施形態によれば、データ収集局５は、監視対象に障害が発生したことを検知すると、ＤＢサーバ６のみではなく、監視局１２にも障害発生通知データを送信する。そして、監視局１２は、システム管理者１４に対して警報を発する。
【００４４】
このため、ＷＥＢサーバ８が故障した場合でも、監視局１２及びシステム管理者１４は、障害の発生を認識できる。従って、システム管理者１４は、ＷＥＢサーバ８の状態に関わらず、障害の発生に対して即座に対応することが可能となる。
【００４５】
また、本実施形態によれば、データ収集局５は、計測器１７から受信する計測値を元に、監視対象に発生する障害を検知する。データ収集局５は、監視対象に障害が発生したことを検知すると、ＤＢサーバ６のみではなく、監視局７にも障害発生通知データを送信する。そして、監視局７は、システム管理者１３に対して警報を発する。このため、ＤＢサーバ６が故障した場合でも、監視局７及びシステム管理者１３は、障害の発生を認識できる。従って、システム管理者１３は、ＤＢサーバ６の状態に関わらず、障害の発生に対して即座に対応することが可能となる。
【００４６】
また、本実施形態によれば、監視局７（１２）は、障害発生通知データを受信すると、システム管理者１３（１３，１４）へ電子メールを送信し、障害が発生したことを通知する。このため、システム管理者１３（１３，１４）は、監視局７（１２）が発する警報を認識できない（スピーカーからの音が聞こえない，画面の表示を見られない）状態であっても、電子メールを受信することにより障害の発生を知ることが可能となる。
【００４７】
また、本実施形態によれば、監視局１２へ全てのＬＡＮ２から障害発生通知データが送信される。このため、監視局１２において全てのＬＡＮ２をまとめて監視することが可能となる。従って、システムの省力化につながる。
【００４８】
〔変形例〕
本実施形態は、複数のＬＡＮ２とＬＡＮ３とＷＡＮ４とにより構成されているが、一つのＬＡＮ２とＬＡＮ３とＷＡＮ４とによって構成されても良い。また、ＬＡＮ２のみで構成されても良い。この場合、データ収集局５は、障害発生通知データを、ＤＢサーバ６と監視局７とに送信する。
【００４９】
また、本実施形態は、複数のＬＡＮ２と複数のＬＡＮ３とＷＡＮ４とにより構成されても良い。この場合、ＬＡＮ３が複数であるため、監視局１２も複数存在する。このとき、ある一つの監視局１２が代表監視局として動作する。即ち、ある一つの監視局１２のみが、上述した監視局１２として動作する。従って、この場合、各ＬＡＮ２に配置された複数のデータ収集局５は、この監視局１２に対して、障害発生通知データを送信する。代表監視局のグローバルアドレスは、代表監視局からＷＥＢサーバ８を介してデータ収集局５へ通知される。そして、代表監視局は、システム管理者１４の操作によって、他のＬＡＮ３に配置された監視局１２へ、代表監視局としての動作を委託することが可能である。
【００５０】
また、本実施形態におけるＤＢサーバ６は、障害発生履歴テーブル６Ｂをさらに記憶しても良い。図７は、障害発生履歴テーブル６Ｂの例を示す図である。図７を用いて障害発生履歴テーブル６Ｂについて説明する。障害発生履歴テーブル６Ｂには、ＤＢサーバ６が受信した障害発生通知データに基づいたデータが記録される。障害発生履歴テーブル６Ｂには、障害発生を検知したデータ収集局５のＩＤと、障害の発生時刻（日時）と、障害の復旧時刻（日時）とが対応付けられて記録される。この他のデータとして、障害の内容や障害のランク等が記録されても良い。障害の内容やランク等は、データ収集局５によって計測値を元に判断される。ここで、障害のランクとは、障害の重大さを示す。即ち、ランクがＡであれば簡易な障害であり、アルファベット順に進むほど深刻な障害であることを示す。また、障害の復旧時刻とは、ＤＢサーバ６が、データ収集局５から連続して受信していた障害発生通知データを受信しなくなった時刻である。
【００５１】
〔その他〕
本発明は、以下のように特定することができる。
（付記１）監視対象に取り付けられ、監視対象における状態値を計測する計測手段と、
障害の発生の通知に伴って、ユーザに障害の発生を報知する報知手段と、
障害の発生の通知に伴って、障害の発生を記録する記録手段と、
前記計測手段が計測した状態値をもとに、監視対象に障害が発生したか否かを判断し、障害が発生したと判断した場合に前記報知手段と前記記録手段とに障害の発生を通知するデータ収集手段と、
を備える状態監視システム。
（付記２）前記報知手段は、ユーザに対して、障害の発生を報知するための電子メールを送信する付記１に記載の状態監視システム。
（付記３）複数の前記データ収集手段及び前記計測手段を備え、
前記データ収集手段は、障害の発生を通知する際に、他のデータ収集手段と自身とを識別するための識別情報をさらに通知する付記１に記載の状態監視システム。
（付記４）監視対象に取り付けられ、監視対象における状態値を計測する計測手段と、
障害の発生の通知に伴って、ユーザに障害の発生を報知する報知手段と、
前記報知手段からのデータ要求を他の手段へ中継する中継手段と、
前記報知手段からの直接のデータ要求を許可せず、前記中継手段によって中継されたデータ要求を許可し、前記計測手段が計測した状態値をもとに、監視対象に障害が発生したか否かを判断し、障害が発生したと判断した場合に前記報知手段と前記記録手段とに障害の発生を通知するデータ収集手段と、
を備える状態監視システム。
（付記５）前記報知手段は、ユーザに対して、障害の発生を報知するための電子メールを送信する付記４に記載の状態監視システム。
（付記６）複数の前記データ収集手段及び前記計測手段を備え、
前記データ収集手段は、障害の発生を通知する際に、他のデータ収集手段と自身とを識別するための識別情報をさらに通知する付記４に記載の状態監視システム。
【００５２】
【発明の効果】
本発明によれば、記録手段に故障が発生した場合であっても、ユーザ（システムの管理者）は、監視対象に発生した障害を認識することが可能となる。
【図面の簡単な説明】
【図１】  従来技術の状態監視システムのブロック図である。
【図２】  従来技術の状態監視システムの動作を示すフローチャートである。
【図３】  本実施形態による状態監視システムのブロック図である。
【図４】  計測値テーブルの例を示す図である。
【図５】  アドレス変換表の例を示す図である。
【図６】  本実施形態による状態監視システムの動作を示すフローチャートである。
【図７】  障害発生履歴テーブルの例を示す図である。
【符号の説明】
ＰＡ１      状態監視システム
ＰＡ２      ＬＡＮ
ＰＡ３      計測器
ＰＡ４      データ収集局
ＰＡ５      監視局
ＰＡ６      ＤＢサーバ
ＰＡ７      システム管理者
１          状態監視システム
２，３      ＬＡＮ
４          ＷＡＮ
５          データ収集局
６          ＤＢサーバ
６Ａ        計測値テーブル
６Ｂ        障害発生履歴テーブル
７          監視局
８          ＷＥＢサーバ
９          ＦＷサーバ
１０，１１  ルータ
１０Ａ      アドレス変換表
１２        監視局
１３，１４  システム管理者
１５        ＤＭＺ
１６        内部ネットワーク
１７        計測器
【図１】
0004118607.tif 000002
【図２】
0004118607.tif 000003
【図３】
0004118607.tif 000004
【図４】
0004118607.tif 000005
【図５】
0004118607.tif 000006
【図６】
0004118607.tif 000007
【図７】
0004118607.tif 000008